(57)【要約】【課題】  一般健常者がエレベータを利用しているときに、車椅子専用操作盤の誤用、乱用を減少させることによってエレベータの運転効率の低下を抑制する車椅子専用操作盤を得る。【解決手段】  ディスプレイ８に、操作ボタン類とは別の待受け画面８ａを表示する第１の表示モード８１及び操作ボタン類を表示する第２の表示モード８２を切替えて表示し得るタッチパネル式操作盤５と、上記タッチパネル式操作盤の表示を制御するディスプレイ制御部１０と、上記タッチパネル式操作盤に対するタッチ操作を検出制御するタッチスイッチ制御部９とを備え、通常時は上記第１の表示モードを表示し、上記タッチスイッチ制御部がタッチパネルへのタッチを検知したときに上記第２の表示モードに切替えて操作ボタン機能を有効にするようにした。【選択図】        図１
2006160414.tif 000002
【特許請求の範囲】
【請求項１】
タッチパネル式操作盤を有するエレベータの操作盤装置において、ディスプレイに、操作ボタン類とは別の待受け画面を表示する第１の表示モード及び操作ボタン類を表示する第２の表示モードを切替えて表示し得るタッチパネル式操作盤と、上記タッチパネル式操作盤の表示を制御するディスプレイ制御部と、上記タッチパネル式操作盤に対するタッチ操作を検出制御するタッチスイッチ制御部とを備え、通常時は上記第１の表示モードを表示し、上記タッチスイッチ制御部がタッチパネルへのタッチを検知したときに上記第２の表示モードに切替えて操作ボタン機能を有効にするようにしたことを特徴とするエレベータの操作盤装置。
【請求項２】
上記第１の表示モードは、身障者マークを含むものであることを特徴とする請求項１に記載のエレベータの操作盤装置。
【請求項３】
上記第１の表示モードは、文字情報を含むものであることを特徴とする請求項１または請求項２に記載のエレベータの操作盤装置。
【発明の詳細な説明】
【技術分野】
【０００１】
この発明は、例えば車椅子使用者のエレベータ利用に供される車椅子専用操作盤などとして好ましく用いることができるエレベータの操作盤装置に関する。
【背景技術】
【０００２】
通常、エレベータは乗場で乗場操作盤の行先方向呼びボタンを操作し、かごではかご操作盤の行き先階の呼びボタンを操作することにより一般乗客が容易に利用できるように構成されている。しかし乗客が例えば身障者や車椅子利用者などの場合には、例えば停止時に扉の開放時間を長く行なう等の通常とは異なる運行モードに切替えられることが要求される。身障者でも利用し易い運転モードで運行するためには、身障者等の操作であることを認識させることが必要であり、そのために乗場の操作し易い位置に身障者用乗場操作盤を設け、あるいはかごの中の操作し易い位置に身障者用かご操作盤を設けている。
【０００３】
この種の従来のエレベータの操作盤装置としては、エレベータのかご内に装備され、行先ボタン、身障者マーク、この身障者マークの近傍に配置された専用ボタン、及びこの専用ボタンに設けられた応答ランプを有する車椅子専用操作盤と、上記専用ボタンの押圧により所定時間上記応答ランプを付勢すると共に、上記所定時間上記行先ボタンの押圧を有効として行先登録を可能とする制御装置とを備えたものがある（例えば、特許文献１参照。）。
【０００４】
【特許文献１】特開平６−３０５６４６号公報（第１頁、図１）
【発明の開示】
【発明が解決しようとする課題】
【０００５】
上記のような従来のエレベータの操作盤装置では、車椅子利用者などの身障者が所定時間専用ボタンを押し続けて行先ボタンの押圧を有効とする必要があり、その仕組みを習熟する必要があるという問題があった。また、身障者によっては行先ボタンの押圧を維持することが困難な場合があるという課題があった。このため、そのような機能のない操作盤装置が用いられ、健常者による誤操作が依然として多く発生しているという問題があった。
【０００６】
この発明は、かかる従来技術の課題を解消するためになされたものであり、一般健常者による誤用や、乱用がされ難く、しかも車椅子利用者など身障者にとって分かりやすく、また使いやすいエレベータのタッチパネル式の操作盤装置を提供することを目的としている。
【課題を解決するための手段】
【０００７】
この発明に係るエレベータの操作盤装置は、ディスプレイに、操作ボタン類とは別の待受け画面を表示する第１の表示モード及び操作ボタン類を表示する第２の表示モードを切替えて表示し得るタッチパネル式操作盤と、上記タッチパネル式操作盤の表示を制御するディスプレイ制御部と、上記タッチパネル式操作盤に対するタッチ操作を検出制御するタッチスイッチ制御部とを備え、通常時は上記第１の表示モードを表示し、上記タッチスイッチ制御部がタッチパネルへのタッチを検知したときに上記第２の表示モードに切替えて操作ボタン機能を有効にするようにしたものである。
【発明の効果】
【０００８】
この発明においては、通常時はタッチパネルに第１の表示モードとして操作ボタン類とは別の身障者マークのみ等からなる待受け画面を表示して、車椅子専用操作盤であることを明確にしておき、タッチパネルにタッチすると操作盤の機能をもった操作ボタン類が表示された第２の表示モードヘ切換えるようにして、操作盤を機能させるためにはタッチのダブルアクションを必要とするようにしたことにより、健常者による咄嗟時の誤用、乱用を回避し、しかも車椅子利用者などの身障者にとって分かり易く、また使い易いエレベータの操作盤装置を得ることができる。
【発明を実施するための最良の形態】
【０００９】
実施の形態１．
図１〜図４はこの発明の実施の形態１によるエレベータの操作盤装置を説明するもので、図１はタッチパネル式の操作盤装置を概念的に示す動作説明ブロック図、図２はエレベータかごにおける操作盤の配置関係を示す透視図、図３は図２のかご操作盤を拡大して示す正面図、図４は図１に示すタッチパネル式の操作盤装置の動作例を示すフロー図である。図において、かご室１の正面部には出入口の扉２が設けられ、一般健常者用のかご操作盤３はかご室１の出入口寄りの袖壁４に設けられ、該かご操作盤３には応答ランプ（図示省略）を組み込んだ行き先ボタン３１及び戸開ボタン３２などが設けられている。車椅子利用者等身障者用として用いられる操作盤装置を構成するタッチパネル式操作盤５は、一般健常者用のかご操作盤３とは別途かご室１の両側の側壁にそれぞれ設けられている。
【００１０】
この実施の形態１による操作盤装置は、操作部であるタッチパネル式操作盤５と、タッチパネル式操作盤５のタッチスイッチ７に対するタッチ操作を検出制御するタッチスイッチ制御部９と、タッチパネル式操作盤５の表示を制御するディスプレイ制御部１０から構成されている。タッチパネル式操作盤５は、タッチスイッチ７と表示機能を持つディスプレイ８の２つの機能を持つタッチパネル６が用いられている。タッチスイッチ７は、材質が例えば透明なＰＥＴフィルムの上部電極と下部電極を貼り合わせたものであり、上部電極を指で押し、または触れると、この位置が検出され、位置検出信号がタッチスイッチ制御部９へ入力される。ディスプレイ８は、例えばＬＣＤが用いられており、このＬＣＤは、２個の偏向板の間に施光性を有する液晶セルを介在させている。このＬＣＤは、電界を印可すると施光性が消失するという現象を利用して、光の明暗に変えているものである。なお、このようなタッチパネル自体はマン−マシンインターフェイスとして良く知られている技術であるので、具体的な構造及び動作説明は省略する。
【００１１】
この実施の形態１におけるタッチパネル式操作盤５は、ディスプレイ８として、図１（ａ）に示すような戸開ボタンや行先階ボタンなどの操作ボタン類とは別の例えば身障者マークのみを表示して操作ボタン類は表示しない、即ち操作ボタン機能を無効にした待受け画面を表示する第１の表示モード８１と、図１（ｂ）に例示した操作ボタン類を表示して操作ボタン機能を有効にした第２の表示モード８２を切替えて表示するように構成されたものが用いられており、通常時は図１（ａ）に示す第１の表示モードの待受け画面が表示され、タッチスイッチ７のスイッチ部分７ａが押されると、図１（ｂ）に示す第２の表示モードである操作ボタン類の表示に切り替わって操作ボタン機能が有効となり、所定の時間が経過するまでの間、通常のタッチパネル式操作盤として機能するように構成されている。なお、本書において、操作ボタン類とは戸開ボタン、戸閉ボタン、行先階ボタン、行先方向呼びボタンなど通常の運行に必要なボタン類を指すものとする。
【００１２】
なお、第１の表示モード８１において、８ａはディスプレイ８上の表示であって、この例の場合は身障者マークのみからなる待受け画面である。７ａはタッチスイッチ７上のスイッチ部分（一点鎖線）を表わし、この領域に触れることで、その信号がタッチスイッチ制御部９に送られ、第１の表示モード８１でタッチスイッチを操作したことが認識される。
また、第２の表示モード８２において、８ｂ、８ｃ、８ｄはディスプレイ８上の表示であって、それぞれ「戸開ボタン」、「戸閉ボタン」、「４階への行先階ボタン」を示すものである。なお、他の数字はそれぞれの階への行先階ボタンを示す。また、７ｂ、７ｃ、７ｄはタッチスイッチ７上のスイッチ部分を表わし、ディスプレイ８上に表示された「戸開ボタン」８ｂ、「戸閉ボタン」８ｃ、「４階への行先階ボタン」８ｄにそれぞれ対応した位置に形成されており、各々の領域（一点鎖線）に触れることで対応するディスプレイ上の機能に対応した操作がなされたと、タッチスイッチ制御部９で認識される。
【００１３】
次に上記のように構成された実施の形態１の動作について、図４のフロー図を参照して説明する。ステップＳ１により、通常時ディスプレイ８は、第１の表示モード８１に切替えられ、例えば図１（ａ）に示す身障者マークのような操作ボタン類とは別の待受け画面８ａを表示して車椅子専用の操作盤であることを強調させておく。このとき、タッチスイッチ７のスイッチ部分７ａは、図１（ａ）に示すようにパネル表面の略全域を占めるように大きく形成された状態に切替えられ、図１（ｂ）に示すスイッチ部分７ｂ、７ｃ、７ｄ・・・などは操作ボタン機能が無効になっている。
【００１４】
ステップＳ２では、タッチスイッチ制御部９によりタッチパネル６にタッチがあったか？の判定が行われ、結果が「Ｎｏ」であればステップＳ１に戻り、第１の表示モード８１の表示が継続される。このような身障者マークなどを表示した第１の表示モード８１の待受け画面８ａ表示時にタッチパネル６の表面、即ちスイッチ部分７ａに触れると、ステップＳ２の判定が「Ｙｅｓ」となってステップＳ３に進み、ディスプレイ制御部１０に対して信号が伝送され、図１（ｂ）に示すような操作ボタン類を含む第２の表示モード８２の画面に切替えられ、対応するスイッチ部分７ｂ、７ｃ、７ｄ・・・が操作ボタン機能として有効となる。
【００１５】
第２の表示モード８２の表示内容には、少なくとも各階の数字からなる行先階ボタン８ｄと扉２の戸開ボタン８ｂ、及び戸閉ボタン８ｃが含まれ、従来のタッチパネル式操作盤と同様に、表示された数字や文字を押す（または触れる）とタッチスイッチ制御部９が押された位置を判定し、その結果が図示省略しているエレベータの制御装置に信号として伝送されエレベータの制御が行われるようになる。例えば行先階の数字の箇所に触れることによってその行先階の呼び登録が可能となる。而してディスプレイ８に図１（ｂ）に示すような第２の表示モード８２の表示が行われている状態でステップＳ４に進み、所定の時間内にタッチスイッチ７が作動したか？が判定される。所定の時間内にタッチスイッチ７へのタッチがなかった場合には、「Ｎｏ」と判定され、ステップＳ１に戻って、図１（ａ）に示す操作ボタン機能を無効にした第１の表示モード８１の待受け画面８ａの表示に切替えられる。
【００１６】
上記ステップＳ４における、所定の時間内にスイッチ部分７ｂ、７ｃ、７ｄなどの何れかのタッチによるタッチスイッチ７が作動したか？の判定結果が「Ｙｅｓ」のときはステップＳ５に進み、タッチによる位置検出信号がタッチスイッチ制御部９から図示省略しているエレベータの制御装置に送信され、該エレベータの制御装置は、ステップＳ６でタッチパネル式操作盤５の例えば戸開ボタン８ｂによる戸開きか？を判定し、判定結果が「Ｙｅｓ」の場合はステップＳ７で扉の不干渉時間を車椅子利用者などの身障者の乗客に適した通常の例えば３倍に設定し、判定結果が「Ｎｏ」の場合はステップＳ８で扉の不干渉時間を通常に設定し、爾後図示を省略している通常のエレベータの制御に移される。
【００１７】
上記説明したように、この実施の形態１によれば、通常時は操作ボタン類とは別の、図１（ａ）に例示する操作ボタン類の機能を無効にした身障者マークなどの待受け画面８ａを表示する第１の表示モード８１にして、その状態でタッチスイッチ７が押されたときのみ図１（ｂ）に例示する操作ボタン類の機能を有効にした第２の表示モード８２の画面に切替えることによって、一般健常者が不注意等により身障者用の操作盤であるタッチパネル６に触れることが回避できる。加えて、一般健常者による身障者用操作盤の誤用や乱用によって各階でのエレベータの停止時間が長くなり、運転効率が低下する問題を抑制することもできる。
【００１８】
なお、上記実施の形態１では、第１の表示モード８１として表示する待受け画面８ａとして身障者マークのみを表示する場合について説明したが、勿論これに限定されるものではない。例えば、身障者マークの他に「車椅子利用者専用」、「車椅子利用者がいる時はこのマークにタッチしてください」等の注意文字などを併せて表示し、あるいはディスプレイ８として例えばマトリックス方式の表示装置を用いて映像表示を可能とし、ビル内の催し物や案内情報等の文字情報を表示したり、地震や火災発生時の緊急情報等の文字情報などを併せて表示するようにすることなども差し支えなく、その場合でも同様の効果が期待できる。また、第１の表示モード８１におけるスイッチ部分７ａを画面の略全域としたがこれに限定されるものではなく、一部に他の機能ボタンを設けるようにしても良い。
【００１９】
ところで、上記説明では、この発明をエレベータのかご内に設置するかご操作盤として用いた場合について説明したが、乗場に設ける乗場操作盤として用いても同様の効果が期待できる。また、第１の表示モード８１である待受け画面８ａにおいて、実施の形態１では身障者マークを表示して身障者用の操作盤として用いたが、この発明の用途はこれに限らず、例えば通常サービスでは表示したくない行先階ボタンを表示せずに、第２の表示モードで表示するようにしても良い。例えば下方階に事務所があり、上方階に住宅があるエレベータにおいて、住居階の行先階呼びを第２の表示モードで表示するようにしても良い。
【図面の簡単な説明】
【００２０】
【図１】この発明の実施の形態１によるエレベータの操作盤装置を概念的に示す動作説明ブロック図である。
【図２】エレベータかごにおける操作盤の配置関係を示す透視図である。
【図３】図２に示すかご操作盤を拡大して示す正面図である。
【図４】図１に示す操作盤装置の動作例を示すフロー図である。
【符号の説明】
【００２１】
１  かご室、  ２  扉、  ３  かご操作盤、  ４  袖壁、  ５  タッチパネル式操作盤、  ５０  操作盤装置、  ５１  行先ボタン、  ５２  戸開ボタン、  ５３  戸閉ボタン、  ６  タッチパネル、  ７  タッチスイッチ、  ７ａ、７ｂ、７ｃ、７ｄ  スイッチ部分、  ８  ディスプレイ、  ８ａ  待受け画面、  ８ｂ  戸開ボタン、  ８ｃ  戸閉ボタン、  ８ｄ  （４階への）行先階ボタン、  ８１  第１の表示モード、  ８２  第２の表示モード、  ９  タッチスイッチ制御部、  １０  ディスプレイ制御部。
【図１】
2006160414.tif 000003
【図２】
2006160414.tif 000004
【図３】
2006160414.tif 000005
【図４】
2006160414.tif 000006